【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
被写体の画像を取得する撮像手段と、
画像を表示する表示手段と、
所定の発光量で照明光を発光する照明手段と、
前記撮像手段から得られる画像から人物の顔を抽出する抽出手段と、
前記抽出手段で抽出された人物の顔画像から該人物の表情を判別する判別手段と、
人物の表情に応じた前記照明光の発光量の補正量の情報が記憶された補正情報記憶手段と、
前記判別手段で判別された表情に対応する補正量で前記照明光の発光量を補正する補正手段と、
を備えたことを特徴とする撮像装置。
【請求項２】
前記補正情報記憶手段に記憶された補正量を修正する修正手段であって、
発光量を補正して前記照明手段から照明光を発光させて撮像した画像を取得する画像取得手段と、
前記画像取得手段で取得した画像を前記表示手段に表示させる手段と、
前記表示手段に表示されている画像を撮像した時に補正した発光量の補正量を修正するための修正量を入力する入力手段と、
前記入力手段から入力された修正量の確定を指示する指示手段と、
前記指示手段で確定された修正量で前記表示手段に表示されている画像を撮像した時に補正した発光量の補正量を修正する手段と、
からなる修正手段を備えたことを特徴とする請求項１に記載の撮像装置。
【請求項３】
前記修正手段は、
前記入力手段から入力された修正量に応じて前記画像取得手段から取得された画像を補正することにより、前記入力手段から入力された修正量で修正後に得られると想定される画像を生成する画像生成手段と、
前記画像生成手段で生成された画像を前記表示手段に表示させる手段と、
を更に備えることを特徴とする請求項２に記載の撮像装置。
【請求項４】
前記画像生成手段で生成された画像の記録を指示する記録指示手段と、
前記記録指示手段の記録指示に応じて前記画像生成手段で生成された画像を記憶メディアに記録する記録制御手段と、
を備えたことを特徴とする請求項３に記載の撮像装置。
【請求項５】
前記記録指示手段は、前記画像生成手段で生成された画像と前記画像取得手段で取得された画像のいずれか一方、又は、双方の記録を指示し、前記記録制御手段は、前記記録指示手段の記録指示に応じて、前記画像生成手段で生成された画像と前記画像取得手段で取得された画像のいずれか一方、又は、双方を前記記憶メディアに記録することを特徴とする請求項４に記載の撮像装置。
【請求項６】
所定の発光量で照明光をプリ発光して被写体の画像を撮像するステップと、
前記撮像された画像から本撮影時の照明光の発光量を決定するステップと、
前記撮像された画像から人物の顔を抽出するステップと、
前記抽出した人物の顔の画像から該人物の表情を判定するステップと、
表情ごとに設定された発光量の補正量の情報を参照して、前記判定された表情に応じた補正量で前記本撮影時の照明光の発光量を補正するステップと、
前記補正した発光量で照明光を発光させて本撮影するステップと、
からなることを特徴とする撮像方法。
【手続補正２】
【補正対象書類名】明細書
【補正対象項目名】発明の名称
【補正方法】変更
【補正の内容】
【発明の名称】撮像装置及び方法
【手続補正３】
【補正対象書類名】明細書
【補正対象項目名】０００１
【補正方法】変更
【補正の内容】
【０００１】
本発明は撮像装置及び方法に係り、特にフラッシュを搭載し、被写体を電気的に撮像する撮像装置及び方法に関する。
【手続補正４】
【補正対象書類名】明細書
【補正対象項目名】０００５
【補正方法】変更
【補正の内容】
【０００５】
本発明は、このような事情に鑑みてなされたもので、被写体に適した撮影を行うことができる撮像装置及び方法を提供することを目的とする。
【手続補正５】
【補正対象書類名】明細書
【補正対象項目名】０００６
【補正方法】変更
【補正の内容】
【０００６】
本発明は、前記目的を達成するために、被写体の画像を取得する撮像手段と、画像を表示する表示手段と、所定の発光量で照明光を発光する照明手段と、前記撮像手段から得られる画像から人物の顔を抽出する抽出手段と、前記抽出手段で抽出された人物の顔画像から該人物の表情を判別する判別手段と、人物の表情に応じた前記照明光の発光量の補正量の情報が記憶された補正情報記憶手段と、前記判別手段で判別された表情に対応する補正量で前記照明光の発光量を補正する補正手段と、を備えたことを特徴とする撮像装置を提供する。
また、本発明は、前記目的を達成するために、前記補正情報記憶手段に記憶された補正量を修正する修正手段であって、発光量を補正して前記照明手段から照明光を発光させて撮像した画像を取得する画像取得手段と、前記画像取得手段で取得した画像を前記表示手段に表示させる手段と、前記表示手段に表示されている画像を撮像した時に補正した発光量の補正量を修正するための修正量を入力する入力手段と、前記入力手段から入力された修正量の確定を指示する指示手段と、前記指示手段で確定された修正量で前記表示手段に表示されている画像を撮像した時に補正した発光量の補正量を修正する手段と、からなる修正手段を備えたことを特徴とする請求項１に記載の撮像装置を提供する。また、本発明は、前記目的を達成するために、前記修正手段は、前記入力手段から入力された修正量に応じて前記画像取得手段から取得された画像を補正することにより、前記入力手段から入力された修正量で修正後に得られると想定される画像を生成する画像生成手段と、前記画像生成手段で生成された画像を前記表示手段に表示させる手段と、を更に備えることを特徴とする請求項２に記載の撮像装置を提供する
また、本発明は、前記目的を達成するために、前記画像生成手段で生成された画像の記録を指示する記録指示手段と、前記記録指示手段の記録指示に応じて前記画像生成手段で生成された画像を記憶メディアに記録する記録制御手段と、を備えたことを特徴とする請求項３に記載の撮像装置を提供する。
また、本発明は、前記目的を達成するために、前記記録指示手段は、前記画像生成手段で生成された画像と前記画像取得手段で取得された画像のいずれか一方、又は、双方の記録を指示し、前記記録制御手段は、前記記録指示手段の記録指示に応じて、前記画像生成手段で生成された画像と前記画像取得手段で取得された画像のいずれか一方、又は、双方を前記記憶メディアに記録することを特徴とする請求項４に記載の撮像装置を提供する。
また、本発明は、前記目的を達成するために、所定の発光量で照明光をプリ発光して被写体の画像を撮像するステップと、前記撮像された画像から本撮影時の照明光の発光量を決定するステップと、前記撮像された画像から人物の顔を抽出するステップと、前記抽出した人物の顔の画像から該人物の表情を判定するステップと、表情ごとに設定された発光量の補正量の情報を参照して、前記判定された表情に応じた補正量で前記本撮影時の照明光の発光量を補正するステップと、前記補正した発光量で照明光を発光させて本撮影するステップと、からなることを特徴とする撮像方法を提供することを目的とする。
【手続補正６】
【補正対象書類名】明細書
【補正対象項目名】０００７
【補正方法】変更
【補正の内容】
【０００７】
本発明によれば、被写体となる人物の表情（たとえば、笑い顔、泣き顔、怒り顔、悲しい顔等）及び／又は属性（たとえば、年代、性別等）に応じた発光量で照明手段から照明光が発光される。これにより、被写体に適した照明光を照射して撮影することができる。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
本発明によれば、撮影者が照明光の発光量を任意に修正することができる。これにより、撮影者ごとの好みに合った画像を簡単に撮影することができる。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】
本発明によれば、修正の効果を確認しながら照明光の発光量を修正できる。すなわち、入力手段から修正量を入力すると、その修正量に応じて修正後に得られると想定される画像が画像生成手段によって生成される。そして、その生成された画像が表示手段に表示される。撮影者は、その表示手段に表示された画像を確認して、修正が適切と判断すると、指示手段で修正量の確定を指示する。このように、どの程度の修正量でどの程度の修正が行われるかを確認しながら照明光の発光量を修正することができる。
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】変更
【補正の内容】
【００１３】
本発明によれば、照明光の発光量の修正時に生成された画像を記録することができる。
【手続補正１３】
【補正対象書類名】明細書
【補正対象項目名】００１４
【補正方法】変更
【補正の内容】
【００１４】
本発明に係る撮像装置及び方法によれば、被写体に適した撮影を行うことができる。
【手続補正１４】
【補正対象書類名】明細書
【補正対象項目名】００１５
【補正方法】変更
【補正の内容】
【００１５】
以下、添付図面を参照して本発明に係る撮像装置及び方法を実施するための最良の形態について説明する。